(57)【要約】  不具の患者を抱き上げ・動かす用具は、２つのサイドパッドサポート（４７）があるフレーム（２，４３，４５）を持ち、患者の脇の下と上部横胸部位の周りとに配置されるサイドパッドサポートで体の正面に固定される。フレームはまた患者の上肢骨用の１対のパッド付き湾曲棒（４４）が接続される正面の柱（１３）を持つ。患者つり上げ具とともに使用されると、重い患者を抱き上げる手段となり、安全、心地よさ、および操作の速度を改善できる。
2008502438.tif 000002
【特許請求の範囲】
【請求項１】
アームピットレストとサイドパッドサポートとを支える２本の腕木を備え、
各腕木が共通のリンク機構に接続され、２本の腕木が一本のクロスバーによって相互に連結されている、患者抱き上げ用具。
【請求項２】
前記クロスバーが前記サイドパッドの間の距離設定の調整に有効な調整部品を備える、請求項１に記載の患者抱き上げ用具。
【請求項３】
前記クロスバーが調整可能な患者の上肢又は背面支持部材を含む柱を取り付けるための手段を備える、請求項２に記載の患者抱き上げ用具。
【請求項４】
前記柱と前記上肢部材とが必要に応じて位置を変えられるように、前記クロスバーが回転可能なＴ字型部品の上に前記柱を支えている、請求項３に記載の患者抱き上げ用具。
【請求項５】
前記柱が必要な柱の長さに設定できるように調整可能である、請求項３又は４に記載の患者抱き上げ用具。
【請求項６】
前記患者の肢用部材が簡単に他のシートモデルを支持できるように交換できる、請求項５に記載の患者抱き上げ用具。
【請求項７】
前記サイドパッドサポートユニットがサイドサポート部材の長さ方向の軸に関して回転可能または固定されている、請求項１〜６の何れかに記載の患者抱き上げ用具。
【請求項８】
回転が支柱のみ或いは支柱と前記サイドサポート部材とをそれぞれ通る止めピンによってもたらされる、請求項７に記載の患者抱き上げ用具。
【請求項９】
各腕木に接続された各サイドサポート部材がさらに前記クロスバーユニットの固定を行う、請求項８に記載の患者抱き上げ用具。
【請求項１０】
サイドパッドの一方又は両方が支持具から容易に取り外され且つ再接続される、請求項１〜９の何れかに記載の患者抱き上げ用具。
【請求項１１】
添付図の何れかを参照としてこれまで実質的に記述した患者抱き上げ用具。
【発明の詳細な説明】
【技術分野】
【０００１】
本発明は患者抱き上げ用具に関する。特に人、例えば自分で移動する能力を一時的又は永久に制限された人を抱き上げたり動かしたりするのに適した用具に関する。
【背景技術】
【０００２】
病院や家庭に居る身体上不具になった多くの患者はしばしば寝た状態から座った或いは立った状態に動かしてもらう必要を感じる。患者が自分で出来ない場合は看護師または介護者によって手で患者を抱き上げたり動かしたりして、患者の移動を行わなければならない。これに伴う重労働は普通患者を支えるのに二人の看護師または介護者を必要とし、しばしばこの作業からこれらの人々自身が背中を損傷し、痛めてしまう。この持ち上げ作業の多くは患者自身の家庭で家族によって行われる。
【０００３】
患者を寝台から抱き上げるのに、時には車付き又は頭上電気つり上げユニットを用いることが可能であるが、抱き上げ用具が付いている吊りベルトに患者が支持されるようにする必要がある。吊りベルトは患者の背中の下にハンモックのように通さなければならず、この作業もまた吊りベルトを固定するために患者を抱き上げて動かす必要がある。寝台に上向きに寝ている患者に取り付けられる抱き上げ枠を提供する試みもあった。そのような枠は脇の下に挿し込まれるようになった鉤状支え部材によって正面から患者に取り付けられる。このような枠の一つは特許明細書ＵＳ４５０９７８５に開示され、この文献は患者が寝た状態から機械的に抱き上げられるように、つり上げユニットに取り付けられる枠を記述している。患者は体の後ろ側に通され、両側の支え部材に接続する紐で確保される。それから患者はつり上げユニットの操作で座った或いは立った位置へ安全に持ち上げられる。このつり上げユニットで支えられれば、患者は他の寝台又は椅子に移動できて、違う休養姿勢を取ることができる。
【発明の開示】
【発明が解決しようとする課題】
【０００４】
上記抱き上げ枠では患者は胸部から吊られ、下半身を支える特別な仕組みはない。本発明は下半身の支持を含めるように工夫され、患者の異なる体型にも調整できて、入浴や手洗いの要求など様々な患者の要求を補助することができる。
【課題を解決するための手段】
【０００５】
本発明によれば、アームピットレスト（脇の下を載せる台：armpit rests）とサイドパッドサポート（side pad supports）とを支える二本の腕木を備えた患者抱き上げ用具が提供され、腕木は共通の接続具に接続されており、二本の腕木は一本のクロスバーによって互いに連結されている。クロスバーは上記サイドパッドサポート間の距離を調整できる調整部品を備えていてもよい。クロスバーは患者の上肢又は背面支持用の調整可能な部材を含む柱を取り付けるための手段を含んでもよい。柱と上肢部材とが必要に応じて位置を変えられるように、クロスバーが回転可能なＴ字型部品の上に柱を支えてもよい。柱は必要な長さにするように調整可能としてもよい。患者の肢用部材は異なる座席モデルを支えるように容易に交換できるようにしてもよい。
【０００６】
実施例の一つでは、サイドサポートユニットがサイドサポート部材の長さ方向の軸に関して回転可能または固定されている。回転は、柱のみあるいは柱とサイドサポート部材とにそれぞれ通した停止ピンによって行われる。各腕木に接続したサイドサポート部材はさらに前記クロスバーユニットを固定できる。
【０００７】
座席モデルの範囲として、防水座席、パッド敷き座席および便座が含まれてもよい。選択された座席モデルはクリップファスナ−によって座席位置に固定されてもよい。
【０００８】
本発明はまた主要表面に弾力性のパッドカバーを持つ患者抱き上げ用具から成る。それはさらに抱き上げ用具が抱き上げ梁又は患者つり上げユニットの接続と容易に結合する接続手段を含む腕木の間の共通のリンク機構から成る。
【発明を実施するための最良の形態】
【０００９】
実施例によって本発明の特別な実施態様を図面を参照しながら説明する。
【００１０】
図１に示したように、患者抱き上げ用具１は鋼鉄の管と棒材とから構成される。患者抱き上げ用具１はリンク機構３にピボットで接続される二本の腕木２を持ち、リンク機構３は患者抱き上げ用具１が患者つり上げユニットの抱き上げ梁又は接続片（図示せず）と結合するファスナー４を持つ。
【００１１】
２本の腕木２はリンク機構３から下向きに逆Ｕ字の形で伸び、その腕の下端はアームピットサポート６（armpit supports）を形成する形に曲がっている。患者がファスナー４のすぐ下に垂直の姿勢で止まれるように、腕木２は両方とも僅かに後方に傾いている。このように横から見ると、ファスナー４は脇の下サポート６の中心半径の真上にあるように見える。各アームピットサポート６は背中帯接続具７で終わるが、その目的は後に記述する。各腕木２の下端には二本の腕木２が一本のクロスバー８で互いに連結されるように小穴（eye）が取り付けられている。
【００１２】
クロスバー８は、第一の締め付けネジ１１で固定できる滑りリンク９によって、長さを調整可能に構成されている。この機構によって、患者抱き上げ用具１が狭い胸又は広い胸を持つ患者に適応するように二本の腕木２の下部が互いの方に又は互いから離れて動くことができる。
【００１３】
クロスバー８は概ねその中央部にクロスバー８全体の長さに沿って自由に摺動する中空のＴ字型部品１２を持つ。Ｔ字型部品１２はリンク機構３から反対の方向に延びる硬い柱１３を支える。柱１３もまた第二の締め付けネジ１６で固定できる延長柱１４によって長さを調整できる。柱１３はその主軸がＴ字型部品の下腕とクロスバー８の両方の軸の周りを回転できるようにＴ字型部品１２の下腕に取り付けられている。
【００１４】
延長柱１４の下端には、シートフレームの固定のために支柱１８で直角位置に保持されるブラケット１７が設けられている。シートフレームはシート１９を支えている。
【００１５】
図２はシートフレーム２１の斜視図である。シートフレーム２１は概ね円形に形成されたシート支持管でできていて、その両端は継ぎ輪２２で連結されている。継ぎ輪２２は延長柱１４のブラケット１７と一直線になることを助長するための案内溝２４を備えたハンドル２３を持つ。案内溝２４はブラケット１７の下端が密接して容易にピッタリと合うように設計され、これらの二部品が互いに正しく配列されていれば、ブラケット１７の下端が案内溝２４にはまっていることが非常に明瞭に認められる。
【００１６】
シートフレーム２１のさらなる詳細は図３の部分断面図で見ることができる。この図で、継ぎ輪２２は延長柱１４の下端に付けられているのが見られる。従って、延長柱１４はブラケット１７と支柱１８と一緒に詳細に示されている。シートフレーム２１のハンドル２３はブラケット１７のすぐ下にあり、その腕の案内溝がブラケット１７の縁と一直線になることを助ける。ハンドル２３の外表面はゴムの層２６で覆われていて、使用者がハンドルを掴み易くしてある。
【００１７】
シートフレーム２１のハンドル２３はシートフレームの継ぎ輪２２に向かってスプリング２８でバイアスされているボルト２７を収納しており、このボルト２７は自由に移動可能である。継ぎ輪２２は貫通孔を持ち、その貫通孔はボルト２７の右端を支え、この貫通孔の内端はボルト２７の右端に糸を合わせることによってかみ合わせられることができる糸巻き部２９を持っている。
【００１８】
シートフレーム２１の継ぎ輪２２は同様にその主軸に沿って孔３１を持ち、この孔３１は延長柱１４の下端を入れられる大きさである。延長柱１４はさらにこの下端にそれ自体の開口３２を持ち、この開口３２にはボルト２７が継ぎ輪２２の糸巻き部２９で固定される前にボルト２７が入ることができる。
【００１９】
ボルト２７はその外端にノブ３３を持ち、スプリング２８がボルトシャフトに固定されている止め具にぶつかっている。この効果はボルト２７が右方に偏り、継ぎ輪２２の糸巻き部２９の方向に動こうとする点にある。必要なら糸がお互いに絡むようにノブ３３を手で回転させてもよく、そうするとボルト２７は継ぎ輪２２の決まった位置に固定される。もし延長柱１４の端が継ぎ輪２２の中に挿入されたら、ボルト２７は延長柱１４の開口３２を通って、シートフレーム２１は延長柱１４にしっかりと固定される。
【００２０】
シートフレーム２１を延長柱１４から取り除く必要があれば、ノブ３３を指で抜けば、ネジ糸を外して、ボルト２７を延長柱１４の開口３２から抜くことができる。これによりシートフレーム２１は延長柱１４から簡単に外れる。
【００２１】
図４は腕木２とアームピットサポート６との間の接続手段の詳細を示している。接続手段は腕木２の下端に固定された接続部品３４から成る。その固定は、腕木２の壁面にある孔を通って接続部品３４に固定される固定ピン３９によってなされる。接続部品３４は内部開口を持ち、この内部開口を接続シャフト３６が通る。接続部品３４はまた直角に延びる小穴（eye）３７を持ち、この小穴（eye）３７がクロスバー８が結合できる接続点となる。
【００２２】
アームピットサポート６は接続シャフト３６の下端に付いた継ぎ輪３８を用いて接続手段に結合されている。継ぎ輪３８は固定ピン３９でアームピットサポート６の部材の内部で固定されている。この構成によって、アームピットサポート６が腕木２の端を自由に回転できる。これらの二部品は接続シャフト３６によって一緒に結合されている。腕木２の終わる結合部にある小穴（eye）３７はクロスバー８を部材に結合する便利な手段を成す。
【００２３】
図５は弾性パッドカバー４１の配置された完全な患者抱き上げ用具を示し、そのカバ−は患者が硬い金属表面と接触するのを保護するためにある。また、クロスバー８には適当な長さの蛇腹形状の管が付けられて、患者の胸幅の変動に応じてクロスバー８の長さを調整できるようになっている。この図から注意することは示されたシート１９モデルはオープン便座構造である。対照的に図１で示されたシートは一般的な長方形状である。抱き上げ用具が患者によって使用されようとする時は、介護者は患者の要求に最適のシートモデルを選び、利用できるシートには防水型、パッド付き、あるいは便座を含む。シートモデルはシートフレーム２１の上にシートモデルを搭載することを可能にするクリップファスナ−を用いて容易に交換できる。
【００２４】
本発明の患者抱き上げ用具１の使用に当たって、患者は当初寝台に仰向けに寝ていると仮定される。抱き上げ用具は先ず抱き上げ梁又は患者つり上げユニットの接続部品に接続され、それからノブ３３のネジを外し、さらにシートフレーム２１を延長柱１４から外すことで、シートフレーム２１とシート１９とをユニットから取り外す。
【００２５】
それから患者抱き上げ用具１を患者の上に持って来て、患者の体の正面に柱１３がある状態でアームピットサポート６を患者の脇の下に入れる。クロスバー８の長さは必要に応じて調整され、この長さは締め付けネジ１１を用いて固定される。この段階で安全ベルトを患者の背中に通し、このベルトをアームピットサポート６の端にある背中帯接続具７に取り付けて調整することができる。それから患者つり上げユニットを操作して、患者をそっと座る姿勢に置く。患者はそれから患者抱き上げ用具１でしっかりと支えられる。
【００２６】
患者つり上げユニットはその後持ち上げられて、患者は寝台の表面から僅かに上げられる。パッド付き，防水シート又は便座１９が直接患者の尻部の下に入れられるように、患者の尻部は十分に寝台の表面から上にある必要がある。一旦その位置に来たら、患者はゆっくりと降ろされ、延長柱１４を孔３１に通しボルト２７を用いて延長柱１４を継ぎ輪２２に接続固定する。それからノブ３３がしっかりと締められる。それから延長柱１４の長さが必要に応じて調整され、締め付けネジ１６を用いて固定されて、シートが適切な位置に置かれる。シートはもちろん患者の背中の下に置かれ、これにより患者の下半身の重量が支えられる。患者をさらに持ち上げるにつれて、患者の全重量はアームピットサポート６とシート１９とに分配される。
【００２７】
患者はこうして快適な位置にあり、患者は向きを変えられ、また持ち上げられて椅子，他の寝台又は浴室へ運ばれる。患者はまた必要に応じて寝台、風呂、手洗い、水泳プール、車椅子、床面、あるいは椅子の間を移動でき、寝た姿勢から座る姿勢にも変えられる。入浴作業にはもちろんシート１９を一時的に除くのは容易であり、そのためこの作業は安全に手際よく運ばれる。患者は適切な時間後に寝台に戻され、抱き上げ用具は除かれる。
【００２８】
患者抱き上げ用具１の使用後、患者つり上げユニットから取り外され、アームピットサポート６の回転台を回してこれらの部品を内側に畳み、保管を容易に、かさばらずにできる。患者抱き上げ用具１を簡単に運搬できるように、その適当な格納ケースを使ってもよい。
【００２９】
その代わりに、患者抱き上げ用具１は患者つり上げユニットに取り付けたままの状態で格納されてもよい。もしそうするなら、シートは取り外され、延長柱１４は締め付けネジ１６で適切に緩めたり締めたりして長さを縮められる。それからリンク機構３に取り付けられたＣ−クリップファスナー（図示せず）に延長柱１４の端が固定されるようにぐるっと回される。この作業後、シートはクロスバー８の上のＴ字型部品１２から外に延びるように置かれた保管釘４２（図５）に接続固定される。抱き上げ用具は次の使用までこのかさばらない状態に置かれる。
【００３０】
図１の抱き上げ用具１の改良型を図６に示す。図６では腕木２は連結部材４５の形のＴ字型部品で連結した互いに平行な二つのロッド４３から成るクロスバーを持つ。ロッド４３はこのように連結部材４５によって互いに平行に保たれ、腕木２の下部が近づいたり離れたりできるように外側に延びたり内側に動いたりすることができる。これによって、胸幅の狭かったり広かったりする異なる患者を受け入れるために、抱き上げ用具を調整できる。
【００３１】
前記のとおり、連結部材４５は硬い柱１３を支え、この柱１３は長さを調整できる延長柱１４を持っている。シートフレーム用の固定具を持つ代わりに、延長柱１４は末端に二本の曲ったパッド付き棒４４を持ち、これらの棒４４はほぼ直線状に保てるのに役立つピボット点４６で接続されている。二本の曲った棒４４はパッド層で包まれ、抱き上げ用具に支えられた患者の上肢骨の下を通せるようになっている。このピボット点４６はまた調整制御機能を持つので、二本の曲ったパッド付き棒４４は患者各人の脚の構造に合うように上向き又は下向きに僅かに傾けて配置できる。
【００３２】
図６の実施例では、アームピットサポート６は腕木２の端から延びる支柱４８に支えられたサイドパッド４７と換えられている。各支柱４８はサイドサポート部材４９に取り付けられている。サイドパッド４７は概ね長方形状であるが、患者の横胸の領域と接触する位置に凹部を持つ。従って、サイドパッド４７は抱き上げ用具と患者の体との間に大きな接触面を作り、患者が抱き上げられる時に心地よく保持されるようにできている。図６の実施例で、サイドパッド４７を支える支柱４８は直線であるが，もちろん別の実施例では図１のアームピットサポート６のように曲げられてもよい。
【００３３】
図６の用具で患者を抱き上げる際に、各サイドサポート部材４９にまず対象となる患者に適した大きさのサイドパッド４７を付ける。サイドパッド４７は小，中，大の大きさがあり、サイドパッド４７はサイドサポート部材４９の端で簡単に交換できる。支柱４８の上のサイドパッド４７はサイドサポート部材４９を通して取り付け、固定ピン５０で固定される（図６）。各サイドパッド４７はそれから患者の胸のどちらかの側にあるように患者の脇の下に当てられる。患者の胸幅に合わせてサイドパッド４７を調整するに際して、腕木２の両端の動きが連結部材４５中で生じる重ね合わせの動作でクロスバーの平行ロッド４３を短くする。もし患者がつり上げユニット（図示せず）の操作で部分的に抱き上げられる時は患者の体重が連結部材４５にかかる結果、クロスバーはセット・ポジションに固定される。
【００３４】
安全帯（図示せず）は長さを調節でき、サイドパッド４７の上下の隅に配置された適当な帯接続具に固定される。抱き上げ用具がこのように使用される時は、サイドパッド４７によって患者の胸にかけられる横圧量は二つのサイドパッド４７の間を繋ぐ安全帯のきつさで制御される。
【００３５】
寝ている患者の背中を通して安全帯を当てる必要がある時は、患者をちょっと抱き上げて、それから低摩擦パッド材で覆った平たい金属へらを使って帯を患者の背中の後に押し込む。
【００３６】
この段階に続いて、曲ったパッド付き棒４４を患者の上肢骨の下の位置に入れる。患者の脚型に合わせてピボット点４６のまわりの調整制御により、曲ったパッド付き棒４４の必要な角度を得ることができる。患者の大きさと体型とによって曲ったパッド付き棒４４に付いた延長柱１４は長さを調整でき、締め付けネジ１６を用いて固定できる。締め付けネジ１６の各側で、患者が下肢の１本または両方を失った人である場合、安全帯（図示せず）を当てることもできる。患者が下肢部位に力がなかったり、制御が効かない場合にもこれを使うことができる。
【００３７】
図７はサイドサポート部材４９の側面、端面および正面図である。この組立品４９の一ユニットが二本の腕木２の各端に取り付けられる。そのサイドサポート部材４９は各ピンで各腕木２の端に取り付けられた２つの出張り５１を備えている。サイドサポート部材４９はまた各ロッド４３の外端がピン固定でつながる２つの部材５２を備えている。部材５２はサイドサポート部材４９の長さ方向軸の周りを自由に回転できる継ぎ輪に取り付けられている。二つの孔５３はサイドパッド４７を支える支柱４８を保持できるように配置され、それから支柱４８は固定ピン５０で孔に固定される（図６）。さらに孔は固定ピンの孔５５も持つ。
【００３８】
図８は支柱４８の側面、端面および正面図である。支柱４８の左側の全長は図中に示されていない。右側で支柱４８はサイドサポート部材４９の孔５３を通るようにした狭い部分を持ち、支柱孔５４を通して固定ピンを固定することによってこの孔５３に支柱４８は固定される。従って、固定ピン５０はサイドサポート部材４９の固定ピン孔５５を通り（図７）、そして支柱孔５４を通る。支柱４８用の各固定ピン５０は簡単に外せるようにできていて、新患者用にサイドパッド４７が異なる大きさが必要になる時は、各サイドパッド４７と支柱４８とは容易に交換可能である。このサイドサポート部材４９、支柱４８および固定ピン孔５５の配置で、固定ピン５０がこの位置にあるとき、サイドパッド４７を腕木２に平行な位置に固定することができる。
【００３９】
もし望まれるなら、ピン５０は取り除くことができ、支柱４８はその狭い部分がサイドサポート部材４９を完全に通り抜けるように前方へ移動できる。ピン５０が支柱孔５４を通すのみでサイドサポート部材４９を通らずに置かれる時には、サイドサポート部材４９の中心軸の周りをサイドパッド４７と支柱４８との両方が完全に自由回転できる。
【００４０】
図９は連結部材４５の側面、端面および正面図である。連結部材４５は中心回転ボス５７で互いに離れて配置される２枚の側板５６を備えている。右端には中空環５８が各側板５６の中に延びるピボットピンで取り付けられ、環５８はピボットピンの周りを回転できる。環中の内部開口はサイドサポート部材４９からのロッド４３が環５８を通れるような直径を持ち、連結部材４５の長さに沿って、またその他端に向けて延びている。内部開口は、ロッド４３が連結部材４５の開口を通って容易に摺動するように、ロッド４３用の台を提供する。ロッド４３にはその内部端に止めピン６２があり、そのため環５８から完全には抜き出せない。同様に、連結部材４５の左端には第二中空環が他のサイドサポート部材４９からの第二のロッド４３の台を提供する。この第二中空環は、サイドサポート部材４９からの各ロッド４３が反対側の環５８の内表面と接触できるように、側板５６の隙間５９に配置されたピボットピンを持ち、もし下向きの力が連結部材４５にかかっても、中空環に沿ってロッドは通らない。従って２個のピボット付き環５８はもし下向きの力が連結部材４５にかからないときには、自由に滑れる条件下でロッド４３を平行に保持する。しかしもしこの下向きの力がかかるなら、ロッド４３は両方の環５８に押しつけられ、もはや互いに相対的に動かせないように固定される。
【００４１】
連結部材４５はさらに硬い柱１３のための支持ピン６１を備えている。この支持ピン６１は連結部材４５から水平に延び、柱１３はこの部材に直角に付けられている。
【００４２】
図１０は図６の抱き上げ用具の抱き上げ特性を改善するようにある部品を再配置したものを示す。サイドサポート部材４９からのロッド４３は連結部材４５から外側に引き出され、完全に引き出された時は各ロッド４３の内端にある止めピン６２（図６）によってロッド４３がそのピボット付き環５８を完全に通り抜けるのを防止する。それからロッド４３はサイドサポート部材４９の軸の周りを回転できる接続環上にある部材５２に固定されるので、下向きに動くことができる。連結部材４５は腕木２の端の下に少し離れて安定な位置に置かれる。調整可能な延長柱１４はもちろん曲ったパッド付き棒４４が患者の上肢骨の下に置かれるようにある程度短くする必要がある。
【００４３】
この形式の抱き上げ用具が患者に取り付けられる時は、患者の体重が曲った棒４４にかかる時この重量で腕木２の両端を互いに近くに引きつけてサイドパッド４７は患者の肋骨をしっかりと締めるようになることは明白である。サイドパッド４７が各腕木２と平行な固定位置に取り付けられるのが適切である。これには各固定ピン５０（図６）が各固定ピン孔５５と各横棒孔５４を通ることが必要である。
【００４４】
前記様式のいずれかで抱き上げが行われる時はいつも（サイドサポート部材４９に関して回転するか、あるいは固定されるサイドパッド４７を用いて）、釣り合い効果が起こる。このため患者の上体がサイドサポート部材４９の一端から抱き上げられ、下半身が各サイドサポート部材４９の逆側から抱き上げられると、各腕木２に接続された出張り５１に関して等しくて逆向きのモ−メントが生じる。この効果によって、患者を抱き上げた時に品位のある直立の座った姿勢に保つことができる。抱き上げ用具の正しい使い方の指示書は例えばサイドパッド４７の外縁に取り付けることができる。
【００４５】
ヘッドサポートを必要とする患者には、抱き上げ用具の両腕木２に固定したパッド付き頭又は首ユニットから成るヘッドサポート帯を取り付けることで可能になる。歩行訓練を必要とする患者には、抱き上げ用具がまたこの機能も発揮する。曲ったパッド付き棒４４を取り除いて、患者の脚と尻部がぶら下がれるようにすることができる。上体の支持はサイドパッド４７と安全帯（図示せず）を用いることで確保できる。ウォーキングマシン（歩行訓練機）やその同等品の使用で、患者抱き上げ用具を望ましい速度で下げて行くことで、患者は徐々に自然に歩く体力、能力と自信を得られるように運動できる。
【００４６】
本発明の患者抱き上げ用具はそれが提供する多くの利点を考えると低価格で製造できることが理解され、不具者を安全に抱き上げるための極めて便利な補助具を提供する。それは二人以上でなく、一人の介護者で抱き上げ作業を安全に遂行でき、その介護者が彼等自身の体で抱き上げる重労働の必要性を回避できる。効率的な抱き上げ努力の主要部分は患者つり上げユニットで行うことができる。重い人を地上、寝台、車椅子、椅子、風呂、手洗いあるいはプ−ルから抱き上げることが介護者にとってはるかに軽く、また患者にとって品位を保てる作業となる。抱き上げ作業を試みる結果として介護者や患者が傷害をうける危険性がずっと低くできる。抱き上げ用具は一人の作業者で使えるので、吊りベルトの使用に較べて有利であり、患者をより速くより簡単に扱えるようにできる。それはまたもちろん、転んで床面から抱き上げられる必要のある患者にも使うことができる。抱き上げ用具は患者の最小限の体力操作だけで使えるので、患者の品位を大いに高めることができる。正しく使われれば、患者はたいていの吊りベルトより真っ直ぐ座る姿勢を取れる。吊りベルトに較べてもう一つの利点は本発明の用具はほとんどの吊りベルトのような拡張バーを要しない点にある。それはまた多くの吊りベルトに較べ、患者の抱き上げに際して、介護者の手が体に届く範囲を極めて改善する。
【００４７】
使用されない時は、調整可能の延長柱１４は緩められ、中心回転ボス５７の周りを１８０°回転する。それから両腕木２のリンク機構３に固定されたＣ−クリップ（図示せず）に接続される。この配置で部材は、もし適当な保管箱に入れて簡単に外したり、運んだりする必要がある時は、すっきりした形に収納される。
【００４８】
図６に示した抱き上げ用具の改良は、また患者と介護者が硬い金属表面に接触しないように保護するための弾力性のパッドカバー４１（図５に示す）を配置することで行われる。同様の理由から適当な場所には、蛇腹形状のチューブが加えられてもよい。
【００４９】
抱き上げ用具の第一の改良として、クロスバーは望遠鏡部品で作ることができ、それはいっぱいに延ばされた時には‘Ｖ’型になることができる。これは管状部品のピストンのそばにある中心端近くに取り付けられた望遠鏡のロッドによって作動する。硬い柱１３への接続はこの新しいクロスバーの管部分に取り付けたＴ型部品と簡単に固定したり、取り外したりすることで達成でき、硬い柱１３の全軸に関して自由回転を与えられる。それは各サイドサポート部材４９の二つの部品５２に接続されたままである。
【００５０】
第二の改良では、サイドサポート部材４９は、図７に示すように２個の出張り５１及び２個の部材５２とともに３個でなく１個の円形部分から成る。単純な差異は２個の部材５２がサイドサポート部材の先端と同じ平面にあるように９０°回転する点にある。２個の出張り５１と２個の部材５２との間の９０°の角度はそのまま変らない。この変更で２個の部材５２がクロスバー作動の全角度を受け入れられるように、クロスバーが水平又は‘Ｖ’型に作動できる。
【００５１】
図１１は図６の用具の一層の改良を示す。図１１の構成では、連結部材４５及びロッド４３は、望遠鏡構造を持ち且つ蛇腹形状のチューブ部材６４で覆われた伸縮可能のクロスバー６３と置き換えられる。チューブ部材６４の外壁はクロスバー６３の全長にわたって自由に動け、かつ必要に応じて棒の周りを回転できる浮き環６６を支える。環６６は柱１３を持ち、その柱の下端には、蝶番６８でつながった一対の湾曲板６７によって患者の下半身を支える機構が備えられている。湾曲板６７は用具の使用中、患者の背面または上肢の下に固定できる。
【００５２】
湾曲板６７は蝶番６８に関して折り畳まれ、互いに対面して抱き上げ用具の保管目的にかさばらないようにできる。さらに、柱１３上の板６７の台によって湾曲板６７と蝶番６８との組み合わせが柱１３の周りを回転できる。蝶番６８はその台上で畳まれ、保管に際して柱１３の長さ方向に平行にできる。
【００５３】
本発明の形態は前記実施例のみによって示され、多くの改良が請求項に定義される発明の範囲から外れることなく為されることができる。例えば、ハンドル２３とブラケット１７との配列は案内溝２４によって為される必要はなく、他の実施態様ではハンドル上のソケットにブラケットの配列ピンを挿し込むことによって為される。さらに別の実施態様では、抱き上げ用具には腕木２の交点にあるファスナー４の部位に患者の電子体重計を取り付けられる。クロスバー８，６３は、例えば洗浄や格納目的のために腕木２から簡単に外せるようにできる。サイドパッド４７は患者が最も居心地よくなるために最適のものが選択されるように、小さな範囲で種々の大きさにできる。
【図面の簡単な説明】
【００５４】
図１は患者抱き上げ用具の斜視図である。
図２はシートフレームの同様な図である。
図３はシートフレーム固定システムの詳細を示す。
図４はアームピットサポートの部分断面詳細図である。
図５は患者の介護に用いられる弾力性パッドカバーの配置された抱き上げ用具の図である。
図６は患者抱き上げ用具の第二の実施態様を描く。
図７は第二実施態様のサイドサポート部材の詳細である。
図８はパッド接続柱の詳細である。
図９は連結部材の詳細を示す。
図１０は患者を保持する別の体勢における図６の実施態様を示す。
図１１は図６の構成の別の態様である。
【図１】
2008502438.tif 000003
【図２】
2008502438.tif 000004
【図３】
2008502438.tif 000005
【図４】
2008502438.tif 000006
【図５】
2008502438.tif 000007
【図６】
2008502438.tif 000008
【図７】
2008502438.tif 000009
【図８】
2008502438.tif 000010
【図９】
2008502438.tif 000011
【図１０】
2008502438.tif 000012
【図１１】
2008502438.tif 000013
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
つり上げユニットから患者抱き上げ用具をつるすためのつるし台に上端をそれぞれ接続され、患者支持部材を取り付ける支持バーを下端にそれぞれ備えた、二本の腕木と、
患者の脇の下側と患者の助骨を締める一対のサイドパッドである上記患者支持部材と、
患者の上肢又は尻部を支持する手段と、
を備えた患者抱き上げ用具において、
上記二本の支持バーは上記患者の上肢又は尻部を支持する手段が依存する接続バー部材によって互いに接続され、そして、
上記サイドパッドをとおして上記患者の上体の体重によってもたらされるモーメントと上記患者の上肢又は尻部を支持する手段をとおして上記患者の下半身の体重によってもたらされるモーメントとが互いに等しく且つ対抗するように反応できる釣り合い軸を規定する回転軸のまわりで、各支持バーは上記腕木に回転可能に取り付けられている、ことを特徴とする、患者抱き上げ用具。
【請求項２】
前記接続バー部材が前記支持バー間の距離設定の調整に有効な調整手段を備える、請求項１に記載の患者抱き上げ用具。
【請求項３】
前記接続バー部材が調整可能な患者の上肢又は背面支持部材に下端部が取り付けられる柱を備える、請求項２に記載の患者抱き上げ用具。
【請求項４】
前記接続バー部材が、必要に応じて前記柱と前記患者の上肢又は背面支持部材を取り外し、且つ、再接続できる回転可能なＴ字型部品から前記柱を支えている、請求項３に記載の患者抱き上げ用具。
【請求項５】
前記柱が長さを調整可能である、請求項３又は４に記載の患者抱き上げ用具。
【請求項６】
異なる上肢又は背面支持部材が、容易に且つ交換可能に、長さを調整可能な柱に固定され得る、請求項５に記載の患者抱き上げ用具。
【請求項７】
前記サイドパッドが、前記支持バーの上に固定されて搭載されるか、または各支持バーの長さ方向の軸に関して回転するために回転可能に支持バーに搭載される、請求項１〜６の何れかに記載の患者抱き上げ用具。
【請求項８】
上記支持バーの上のサイドパッドの取付は、前記支持バーの長さ方向の軸に関して前記サイドパッドの回転を可能にするために前記支持バーのみをとおる、または前記支持バーの長さ方向の軸に関する回転に対して前記サイドパッドを固定するために前記支持バーを関連する腕木に接続するサイドサポート部材と前記支持バーの両方をとおることができる止めピンを含む、請求項７に記載の患者抱き上げ用具。
【請求項９】
各腕木に接続された各サイドサポート部材がさらに前記接続バー部材のための固定部材を備える、請求項８に記載の患者抱き上げ用具。
【請求項１０】
サイドパッドの一方又は両方が支持バーから容易に取り外され且つ再接続される、請求項１〜９の何れかに記載の患者抱き上げ用具。
【手続補正２】
【補正対象書類名】明細書
【補正対象項目名】０００３
【補正方法】変更
【補正の内容】
【０００３】
患者を寝台から抱き上げるのに、時には車付き又は頭上電気つり上げユニットを用いることが可能であるが、抱き上げ用具が付いている吊りベルトに患者が支持されるようにする必要がある。吊りベルトは患者の背中の下にハンモックのように通さなければならず、この作業もまた吊りベルトを固定するために患者を抱き上げて動かす必要がある。寝台に上向きに寝ている患者に取り付けられる抱き上げ枠を提供する試みもあった。そのような枠は脇の下に挿し込まれるようになった鉤状支え部材によって正面から患者に取り付けられる。このような枠の一つは特許明細書ＵＳ４５０９７８５に開示され、この文献は患者が寝た状態から機械的に抱き上げられるように、つり上げユニットに取り付けられる枠を記述している。患者は体の後ろ側に通され、両側の支え部材に接続する紐で確保される。それから患者はつり上げユニットの操作で座った或いは立った位置へ安全に持ち上げられる。このつり上げユニットで支えられれば、患者は他の寝台又は椅子に移動できて、違う休養姿勢を取ることができる。
【特許文献１】米国特許第４５０９７８５号明細書
【特許文献２】独国特許出願公開第４３１３４９４号明細書
【手続補正３】
【補正対象書類名】明細書
【補正対象項目名】０００５
【補正方法】変更
【補正の内容】
【０００５】
本発明は、請求項１に規定される患者抱き上げフレームを提供する。それは接続バー部材がサポート間の距離を調整するのに有効な調整手段を備えていてもよい。
患者の上肢又は尻を支持する手段は、好ましくは、患者の上肢又は背面支持用の調整可能な部材を含む柱から成る。接続バー部材は、柱と上肢部材とが必要に応じて取り外しや位置を変えられる回転可能なＴ字型部品から柱を支えてもよい。柱は必要な長さにするように調整可能としてもよい。異なる患者を支えるために異なる上肢又は背面支持部材は容易に、また互換性を持って柱に固定されてもよい。
【手続補正４】
【補正対象書類名】明細書
【補正対象項目名】０００６
【補正方法】変更
【補正の内容】
【０００６】
実施例の一つでは、サイドパッドは選択的に回転可能または固定されて支持バーの上に搭載され、回転可能な場合には支持バーの長さ方向の軸に関して回転する。回転は支持バーのみを通る停止ピンによって可能となるか、あるいは支持バーを関連する腕木に連結し、停止ピンを支持バーとサイドサポート部材との両方に通すことで阻止される。腕木に接続したサイドサポート部材はさらに接続バー部材のための固定部材を備える。
【手続補正５】
【補正対象書類名】明細書
【補正対象項目名】０００８
【補正方法】変更
【補正の内容】
【０００８】
本発明の患者抱き上げ用具は好ましくは主要表面に弾力性のパッドカバーを持つ。つるし台は好ましくは抱き上げ用具が抱き上げ梁又は患者つり上げユニットの接続と容易に結合する接続手段である。
【手続補正６】
【補正対象書類名】明細書
【補正対象項目名】００１０
【補正方法】変更
【補正の内容】
【００１０】
図１に示したように、患者抱き上げ用具１は鋼鉄の管と棒材とから構成される。患者抱き上げ用具１は上端２ａでリンク機構３にピボットで接続される二本の腕木２を持ち、リンク機構３は患者抱き上げ用具１が患者つり上げユニットの抱き上げ梁又は接続片（図示せず）と結合するファスナー４を持つ。
【手続補正７】
【補正対象書類名】明細書
【補正対象項目名】００１１
【補正方法】変更
【補正の内容】
【００１１】
２本の腕木２はリンク機構３から下向きに逆Ｕ字の形で伸び、その腕の下端２ｂは下記に詳細に記述されるようにサイドサポート部材４９に接続される。各サイドサポート部材４９を通る支持バー４８は、接続バー部材４３，４５の一端を取り付けている。
【手続補正８】
【補正対象書類名】明細書
【補正対象項目名】００１２
【補正方法】変更
【補正の内容】
【００１２】
接続バー部材４３，４５は連結部材４５の形でＴ字型部品によって接合される互いに平行なロッド４３から成っている。ロッド４３はこのように連結部材４５によって互いに平行に保たれ、腕木２の下部がより離れたりあるいは近づいたりできるように、外側に広がったり内側に動いたりできる。こうして患者抱き上げ用具１は胸幅の広かったり、狭かったりする異なる患者を受け入れられるように調整される。
【手続補正９】
【補正対象書類名】明細書
【補正対象項目名】００１３
【補正方法】変更
【補正の内容】
【００１３】
Ｔ字型部品４５（図６の浮き環６６に対応する）はリンク機構３から反対の方向に延びる硬い柱１３を支える。柱１３は締め付けネジ１６（図５）で固定できる延長柱１４によって長さを調整できる。柱１３はその主軸がＴ字型部品の下腕の垂直軸と接続バー部材４３，４５（または６４，６６）の水平軸の両方の周りを回転できるようにＴ字型部品４５（または６６）の下腕６１に取り付けられている。
【手続補正１０】
【補正対象書類名】明細書
【補正対象項目名】００１４
【補正方法】変更
【補正の内容】
【００１４】
延長柱１４の下端には、二本の曲ったパッド付き棒４４があり、これらの棒４４をほぼ直線状に保つピボット点４６に二本の棒４４は接続されている。二本の曲った棒４４はパッド層で包まれ、抱き上げ用具に支えられた患者の上肢骨の下に通される。このピボット点４６はまた調整制御機能を持ち、二本の曲ったパッド付き棒４４が各患者の脚の構造に合うように多少上向きまたは下向きに僅かに傾くように配置される。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
本発明の患者抱き上げ用具１の使用に当たって、患者は当初寝台に仰向けに寝ていると仮定される。抱き上げ用具は先ず抱き上げ梁又は患者つり上げユニットの接続部品に接続される。
【手続補正２１】
【補正対象書類名】明細書
【補正対象項目名】００２５
【補正方法】変更
【補正の内容】
【００２５】
それから患者抱き上げ用具１を患者の上に持って来て、患者の体の正面に柱１３がある状態でサイドパッド４７を患者の脇の下に入れる。接続バー部材４３，６３の長さは必要に応じて調整される。この段階で安全ベルトを患者の背中に通し、このベルトをサイドパッドサポートの上にある背中帯接続具（図示せず）に取り付けて調整することができる。それから患者つり上げユニットを操作して、患者をそっと座る姿勢に置く。患者はそれから患者抱き上げ用具１でしっかりと支えられる。
【手続補正２２】
【補正対象書類名】明細書
【補正対象項目名】００２６
【補正方法】変更
【補正の内容】
【００２６】
それから延長柱１４の長さが必要に応じて調整され、締め付けネジ１６を用いて固定されて、パッド付き棒４４が適切な位置に置かれる。パッド付き棒４４はもちろん患者の背中の下に置かれ、これにより患者の下半身の重量が支えられる。患者をさらに持ち上げるにつれて、患者の全重量はサイドパッド４７とパッド付き棒４４とに分配される。
【手続補正２３】
【補正対象書類名】明細書
【補正対象項目名】００２７
【補正方法】変更
【補正の内容】
【００２７】
患者はこうして快適な位置にあり、患者は向きを変えられ、また持ち上げられて椅子，他の寝台又は浴室へ運ばれる。患者はまた必要に応じて寝台、風呂、手洗い、水泳プール、車椅子、床面、あるいは椅子の間を移動でき、寝た姿勢から座る姿勢にも変えられる。患者は適切な時間後に寝台に戻され、抱き上げ用具は除かれる。
【手続補正２４】
【補正対象書類名】明細書
【補正対象項目名】００２８
【補正方法】変更
【補正の内容】
【００２８】
患者抱き上げ用具１の使用後、患者つり上げユニットから取り外され、サイドパッド４７の回転台を回してこれらの部品を内側に畳み、保管を容易に、かさばらずにできる。患者抱き上げ用具１を簡単に運搬できるように、その適当な格納ケースを使ってもよい。
【手続補正２５】
【補正対象書類名】明細書
【補正対象項目名】００２９
【補正方法】変更
【補正の内容】
【００２９】
その代わりに、患者抱き上げ用具１は患者つり上げユニットに取り付けたままの状態で格納されてもよい。もしそうするなら、延長柱１４は締め付けネジ１６で適切に緩めたり締めたりして長さを縮められる。それからリンク機構３に取り付けられたＣ−クリップファスナー（図示せず）に延長柱１４の端が固定されるようにぐるっと回される。抱き上げ用具は次の使用までこのかさばらない状態に置かれる。
【手続補正２６】
【補正対象書類名】明細書
【補正対象項目名】００３０
【補正方法】変更
【補正の内容】
【００３０】
図１では腕木２は連結部材４５の形のＴ字型部品で連結した互いに平行な二つのロッド４３から成るクロスバーを持つ。ロッド４３はこのように連結部材４５によって互いに平行に保たれ、腕木２の下部が近づいたり離れたりできるように外側に延びたり内側に動いたりすることができる。これによって、胸幅の狭かったり広かったりする異なる患者を受け入れるために、抱き上げ用具を調整できる。
【手続補正２７】
【補正対象書類名】明細書
【補正対象項目名】００３１
【補正方法】変更
【補正の内容】
【００３１】
延長柱１４は末端に二本の曲ったパッド付き棒４４を持ち、これらの棒４４はほぼ直線状に保てるのに役立つピボット点４６で接続されている。二本の曲った棒４４はパッド層で包まれ、抱き上げ用具に支えられた患者の上肢骨の下を通せるようになっている。このピボット点４６はまた調整制御機能を持つので、二本の曲ったパッド付き棒４４は患者各人の脚の構造に合うように上向き又は下向きに僅かに傾けて配置できる。
【手続補正２８】
【補正対象書類名】明細書
【補正対象項目名】００３２
【補正方法】変更
【補正の内容】
【００３２】
サイドパッド４７とそのサイドサポ−ト部材４９への装着をここで詳細に説明する。サイドパッド４７は既に記述されたように腕木２の下端２ｂからサイドサポート部材４９を通して横に延びる支柱４８に支えられている。各支持バー４８はサイドサポート部材４９に取り付けられている。サイドパッド４７は概ね長方形状であるが、患者の横胸の領域と接触する位置に凹部を持つ。従って、サイドパッド４７は抱き上げ用具と患者の体との間に大きな接触面を作り、患者が抱き上げられる時に心地よく保持されるようにできている。図１の実施例で、サイドパッド４７を支える支持バー４８は直線であるが，もちろん別の実施例では支持バーはアームピットサポートのように曲げられてもよい。
【手続補正２９】
【補正対象書類名】明細書
【補正対象項目名】００３３
【補正方法】変更
【補正の内容】
【００３３】
図１の用具で患者を抱き上げる際に、各サイドサポート部材４９にまず対象となる患者に適した大きさのサイドパッド４７を付ける。サイドパッド４７は小，中，大の大きさがあり、サイドパッド４７は支持バー４８上で簡単に交換できる。支持バー４８の上のサイドパッド４７はサイドサポート部材４９を通して取り付け、固定ピン５０で固定される。各サイドパッド４７はそれから患者の胸のどちらかの側にあるように患者の脇の下に当てられる。患者の胸幅に合わせてサイドパッド４７を調整するに際して、腕木２の両端の動きが連結部材４５中で生じる重ね合わせの動作で接続バー部材の平行ロッド４３を短くする。もし患者がつり上げユニット（図示せず）の操作で部分的に抱き上げられる時は患者の体重が連結部材４５にかかる結果、クロスバーはセット・ポジションに固定される。これは接続バー部材の下記詳細説明に見られるとおりである。
【手続補正３０】
【補正対象書類名】明細書
【補正対象項目名】００３４
【補正方法】変更
【補正の内容】
【００３４】
安全帯（図示せず）は長さを調節でき、サイドパッド４７の上下の隅に配置された適当な帯接続具（図示せず）に固定される。抱き上げ用具がこのように使用される時は、サイドパッド４７によって患者の胸にかけられる横圧量は二つのサイドパッド４７の間を繋ぐ安全帯のきつさで制御される。
【手続補正３１】
【補正対象書類名】明細書
【補正対象項目名】００３７
【補正方法】変更
【補正の内容】
【００３７】
図２はサイドサポート部材４９の側面、端面および正面図である。この組立品４９が二本の腕木２の各下端２ｂに取り付けられる。各サイドサポート部材４９はピン２５（図１）で各腕木２の下端２ｂに回転可能に取り付けられた２つの出張り５１を備えている。サイドサポート部材４９はまた各ロッド４３の外端がピン固定で回転可能につながる２つの出張り部材５２を備えている。出張り部材５２はサイドサポート部材４９の長さ方向軸の周りを自由に回転できる継ぎ輪５２ａに取り付けられている。段状の孔５３はサイドパッド４７を支える支持バー４８を保持できるように配置され、それから支持バー４８は固定ピン５０で段状の孔５３に固定される（図１）。さらにサイドサポート部材４９の孔は固定ピンの孔５５も持つ。
【手続補正３２】
【補正対象書類名】明細書
【補正対象項目名】００３８
【補正方法】変更
【補正の内容】
【００３８】
図３は支持バー４８の側面、端面および正面図である。支持バー４８の左側の全長は図３中に示されていない。右側で支持バー４８はサイドサポート部材４９の孔５３を通るようにした狭い部分を持ち、支柱孔５４を通して固定ピンを固定することによってこの孔５３に支持バー４８は固定される。従って、固定ピン５０はサイドサポート部材４９の固定ピン孔５５を通り（図２）、そして支柱孔５４を通る。支持バー４８用の各固定ピン５０は簡単に外せるようにできていて、新患者用にサイドパッド４７が異なる大きさが必要になる時は、各サイドパッド４７と支持バー４８とは容易に交換可能である。このサイドサポート部材４９、支持バー４８および固定ピン孔５５の配置で、固定ピン５０がこの位置にあるとき、サイドパッド４７を腕木２に平行な位置に固定することができる。
【手続補正３３】
【補正対象書類名】明細書
【補正対象項目名】００４０
【補正方法】変更
【補正の内容】
【００４０】
図４は接続バー部材の連結部材４５の側面、端面および正面図である。連結部材４５は中心回転ボス５７で互いに離れて配置される２枚の側板５６を備えている。右端には中空環５８が各側板５６の中に延びるピボットピンで取り付けられ、環５８はピボットピンの周りを回転できる。環中の内部開口はサイドサポート部材４９からのロッド４３の一本が環５８を通れるような直径を持ち、連結部材４５の長さに沿って、またその他端に向けて延びている。内部開口は、ロッド４３が連結部材４５の開口を通って容易に摺動するように、ロッド４３用の台を提供する。ロッド４３にはそのサイドサポート部材４９から遠い側の末端に止めピン６２があり、そのため環５８から完全には抜き出せない。同様に、連結部材４５の左端には第二中空環が他のサイドサポート部材４９に近い側の第二のロッド４３の台を提供する。この第二中空環は、サイドサポート部材４９からの各ロッド４３が反対側の環５８の底面と接触できるように、側板５６の隙間５９に配置されたピボットピンを持ち、もし下向きの力が連結部材４５にかかったらそれらを同時に、或いは別々に動けなくする。従って２個のピボット付き環５８はもし下向きの力が連結部材４５にかからないときには、自由に滑れる条件下でロッド４３を平行に保持する。しかしもしこの下向きの力がかかるなら、ロッド４３は両方の環５８に押しつけられ、もはや互いに相対的に動かせないように固定される。
【手続補正３４】
【補正対象書類名】明細書
【補正対象項目名】００４１
【補正方法】変更
【補正の内容】
【００４１】
連結部材４５はさらに硬い柱１３のための支持ピン６１を備えている。この支持ピン６１は連結部材４５から水平に延び、柱１３はこの支持ピン６１に直角に付けられている。
【手続補正３５】
【補正対象書類名】明細書
【補正対象項目名】００４２
【補正方法】変更
【補正の内容】
【００４２】
図５は図１の抱き上げ用具の抱き上げ特性を改善するようにある部品を再配置したものを示す。サイドサポート部材４９からのロッド４３は連結部材４５から外側に引き出され、完全に引き出された時は各ロッド４３の内端にある止めピン６２（図１）によってロッド４３がそのピボット付き環５８を完全に通り抜けるのを防止する。それからロッド４３はサイドサポート部材４９の軸の周りを回転できる接続環５２ａ上にある部材５２に固定されるので、下向きに動くことができる。連結部材４５は腕木２の端の下に少し離れて安定な位置に置かれる。調整可能な延長柱１４はもちろん曲ったパッド付き棒４４が患者の上肢骨の下に置かれるようにある程度短くする必要がある。
【手続補正３６】
【補正対象書類名】明細書
【補正対象項目名】００４３
【補正方法】変更
【補正の内容】
【００４３】
この形式の抱き上げ用具が患者に取り付けられる時は、患者の体重が曲った棒４４にかかる時この重量で腕木２の両端を互いに近くに引きつけてサイドパッド４７は患者の肋骨をしっかりと締めるようになることは明白である。サイドパッド４７が各腕木２と平行な固定位置に取り付けられるのが適切である。これには各固定ピン５０（図１）が各固定ピン孔５５と各支柱孔５４を通ることが必要である。
【手続補正３７】
【補正対象書類名】明細書
【補正対象項目名】００４４
【補正方法】変更
【補正の内容】
【００４４】
前記様式のいずれかで抱き上げが行われる時はいつも（サイドサポート部材４９に関して回転するか、あるいは固定されるサイドパッド４７を用いて）、釣り合い効果が起こる。このため患者の上体がサイドサポート部材４９の一端から抱き上げられ、下半身が各サイドサポート部材４９の逆側から抱き上げられると、各腕木２に接続された出張り５１に関して等しくて逆向きのモ−メントが生じる。出張り５１の各対を通るピン２５は関連する支持バー４８の回転軸と抱き上げ用具の釣合い軸２１とを規定する。この効果によって、患者を抱き上げた時に品位のある直立の座った姿勢に保つことができる。抱き上げ用具の正しい使い方の指示書は例えばサイドパッド４７の外縁に取り付けることができる。
【手続補正３８】
【補正対象書類名】明細書
【補正対象項目名】００４８
【補正方法】変更
【補正の内容】
【００４８】
図１に示した抱き上げ用具の改良は、また患者と介護者が硬い金属表面に接触しないように保護するための弾力性のパッドカバー（図示せず）を配置することで行われる。同様の理由から適当な場所には、連結バー部材に蛇腹形状のチューブが加えられてもよい。
【手続補正３９】
【補正対象書類名】明細書
【補正対象項目名】００４９
【補正方法】変更
【補正の内容】
【００４９】
抱き上げ用具の第一の改良として、クロスバーは望遠鏡部品で作ることができ、それはいっぱいに延ばされた時には‘Ｖ’型になることができる。これは管状部品のピストンのそばにある中心端近くに取り付けられた望遠鏡のロッドによって作動する。硬い柱１３への接続はこの新しいクロスバーの管部分に取り付けたＴ型部品と簡単に固定したり、取り外したりすることで達成でき、硬い柱１３の全軸に関して自由回転を与えられる。それは各サイドサポート部材４９の二つの出張り部品５２に接続されたままである。
【手続補正４０】
【補正対象書類名】明細書
【補正対象項目名】００５０
【補正方法】変更
【補正の内容】
【００５０】
第二の改良では、サイドサポート部材４９は、図２に示すように２個の出張り５１及び２個の出張り部材５２とともに３個でなく１個の円形部分から成る。単純な差異は２個の出張り部材５２がサイドサポート部材の先端と同じ平面にあるように９０°回転する点にある。２個の出張り５１と２個の出張り部材５２との間の９０°の角度はそのまま変らない。この変更で２個の出張り部材５２がクロスバー作動の全角度を受け入れられるように、クロスバーが水平又は‘Ｖ’型に作動できる。
【手続補正４１】
【補正対象書類名】明細書
【補正対象項目名】００５１
【補正方法】変更
【補正の内容】
【００５１】
図６は図１の用具の一層の改良を示す。図６の構成では、連結部材４５及びロッド４３は、望遠鏡構造を持ち且つ蛇腹形状のチューブ部材６４で覆われた伸縮可能のクロスバー６３と置き換えられる。チューブ部材６４の外壁はクロスバー６３の全長にわたって自由に動け、かつ必要に応じて棒の周りを回転できる浮き環６６を支える。環６６は柱１３を持ち、その柱の下端には、蝶番６８でつながった一対の湾曲板６７によって患者の下半身を支える機構が備えられている。湾曲板６７は用具の使用中、患者の背面または上肢の下に固定できる。
【手続補正４２】
【補正対象書類名】明細書
【補正対象項目名】００５４
【補正方法】変更
【補正の内容】
【００５４】
図１は患者抱き上げ用具の斜視図である。
図２は図１のサイドサポート部材の詳細である。
図３はパッド接続柱の詳細である。
図４は連結部材の詳細を示す。
図５は患者を保持する別の体勢における図６の実施態様を示す。
図６は本発明の別の態様である。
【手続補正４３】
【補正対象書類名】図面
【補正対象項目名】全図
【補正方法】変更
【補正の内容】
【図１】
2008502438.tif 000014
【図２】
2008502438.tif 000015
【図３】
2008502438.tif 000016
【図４】
2008502438.tif 000017
【図５】
2008502438.tif 000018
【図６】
2008502438.tif 000019
【国際調査報告】
2008502438.tif 000020
2008502438.tif 000021
2008502438.tif 000022
2008502438.tif 000023